Podtech/llm-jp-corpus-v4-ja_patent huggingface dataset:
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
少なくとも芯材と該芯材を収納し内部を減圧状態に維持できる外包材とを備えてなり、前記芯材は、繊維太さ１〜６デニールのポリエチレンテレフタレート繊維を９０〜１００重量％含有する繊維集合体をニードルパンチ法によってシート状に加工してなり、密度が１５０〜３００Ｋｇ／ｍ３であることを特徴とする、外包材に芯材を充填しその内部を減圧して密封した真空断熱材。
【請求項２】
ポリエステル繊維の平均繊維径が９〜２５μｍである請求項１に記載の真空断熱材。
【請求項３】
芯材がポリエチレンテレフタレート繊維のみからなる繊維集合体である請求項１〜２のいずれかに記載の真空断熱材。
【請求項４】
繊維太さ１〜６デニールのポリエチレンテレフタレート繊維を９０〜１００重量％含有する繊維集合体をシート状にニードルパンチ法によって加工してなり、密度が１５０〜３００Ｋｇ／ｍ３であることを特徴とする、真空断熱材用芯材。
【手続補正書】
【提出日】平成21年8月13日(2009.8.13)
【手続補正１】
【補正対象書類名】明細書
【補正対象項目名】全文
【補正方法】変更
【補正の内容】
【発明の詳細な説明】
【発明の名称】貯留槽
【技術分野】
【０００１】
本発明は、水面上を臨時会場とする技術である。
【背景技術】
【０００２】
ヒートアイランド対策、景観の向上、ビオトープ、親水広場など水辺を憩いの場とする例が多くなってきている。これらの施策のため雨水の貯留槽を用い、溜まった雨水を循環し上記水辺を維持することが行われている。
一方、雨水の流出抑制あるいは有効利用を目的として、地下にプラスチックの単位部材を配列することで貯留空間を確保し、その周囲を適切なシート類で覆った貯留、浸透槽などが提案かつ使用されている。プラスチックの単位部材を使用する例は、特開平9-112792、特開平10-252108、特開平 11-222886など各種提案されている。
本願は上記目的に使用される単位部材の新規な用途を提案するものである。
【０００３】
【特許文献１】特開平9-112792
【特許文献２】特開平10-252108
【特許文献３】特開平11-222886
【発明の開示】
【発明が解決しようとする課題】
【０００４】
本発明は、単位部材を用いて水面を臨時会場とする技術の提案にある。
【課題を解決するための手段】
【０００５】
本発明は、水面であって、臨時的に水面の底面から単位部材を水面の上まで配列すると共に、単位部材の上面にシートを敷き、シート上を人の立ち入り可能とした、臨時会場となる水面である。
水路を臨時会場とするため、単位部材を水面上にまで配列し、上部をシートで覆った。
【発明の効果】
【０００６】
本発明は、水面下に単位部材を水面上にまで配列し、その上部にシートを敷き設することで臨時会場としたため、常時は親水広場として機能し、短時間に臨時広場とすることができる。
【発明を実施するための最良の形態】
【０００７】
以下本第発明を図により詳細に説明する。
図1、図２は、本発明の臨時会場とする広場の断面概念図である。
断面図に示したとおり、本臨時会場は通常は水路、池等であり臨時的に単位部材２を水面１上に現れるまで配列し、単位部材２の上部をシート類３で覆い人等が立ち入り可能な広場などとして使用する。
図１は、通常の水路、池等の状態を示し、水路、池等の一定深さまでを単位部材２で埋め、必要に応じて砕石４などで単位部材２を人目に触れないようにした状態である。
図２は、更に単位部材２を上に配列し、単位部材２の上部を水面１より上にあげ、更にシート３などを敷いた状態を示している。
シート３上には、必要に応じて砕石４などを敷き設し、広場らしい状態にすることも可能である。シート３は遮水性のシートに限らずプラスチック製あるいは鉄製の板などが使用できる。
【０００８】
なお、図では水路、池等にあらかじめ単位部材２を配設し、臨時的に更に単位部材２を追加するように示してある。水路、池等の深さによっては使用時に必要とする全量の単位部材２を配設することができる。
広場としての用途が終われば、再び単位部材２を全部あるいは一部取り片付けてもとの水路、池等とする。
【０００９】
水路、池等内に配列する単位部材２として、雨水貯留施設において一般的に使用されあるいは提案されている図３（ａ）〜（ｅ）に示すようなプラスチック製あるいはステンレススチール製の部材などが使用可能である。
【図面の簡単な説明】
【００１０】
【図１】本発明の通常の水路、池等の状態を示す概念図を示す。
【図２】本発明の臨時広場とした概念図を示す。
【図３】（ａ）〜（ｅ）は単位部材の例を示す。
【符号の説明】
【００１１】
１ 水路、池等の水面
２ 単位部材
３ シート類
４  砕石
【手続補正２】
【補正対象書類名】図面
【補正対象項目名】全図
【補正方法】変更
【補正の内容】
【図１】
2008057203.tif 000001
【図２】
2008057203.tif 000002
【図３】
2008057203.tif 000003
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
有底筒状に形成されたトラップ本体と、
前記トラップ本体内に排水を流入させる流入部と、
前記トラップ本体の側部に設けられ前記流入部から流入した排水が流出する流出部と、
前記流出部と排水管とを接続し、前記流出部から流出する排水を排水管に導く接続継手とを備えた排水トラップにおいて、
前記接続継手は、前記トラップ本体の延在方向に垂直な方向の周りに回転可能に前記トラップ本体に取り付けられ前記流出部に接続されたＬ字状の第１の管と、第１の管の前記トラップ本体と反対側の端部に、この端部部分の延在方向の周りに回転可能に取り付けられた第２の管とを有し、
第２の管は、排水管を締結して接続するための締結手段をその両端にそれぞれ有し、
第１の管を、前記トラップ本体に対し、前記トラップ本体の延在方向に垂直な方向の周りにおいて所定の角度をなす状態で接続するための規制機構を有することを特徴とする排水トラップ。
【請求項２】
前記流入部は、前記トラップ本体の延在方向の周りに回転可能であることを特徴とする請求項１記載の排水トラップ。
【請求項３】
その装着により第２の管が第１の管に対して回転することを阻止する回転阻止部材を着脱可能に有することを特徴とする請求項１又は請求項２記載の排水トラップ。
【請求項４】
前記トラップ本体は、排水が前記流入部に逆流することを防止するために前記トラップ本体の内外の空間を連通させた連通口を有し、
前記連通口の、前記トラップ本体の底壁側の端部位置と、前記トラップ本体の底壁との間隔は、前記トラップ本体の延在方向の周りにおける、前記第１の管が取り付けられた方向において最小であることを特徴とする請求項１ないし３の何れか１つに記載の排水トラップ。
【手続補正２】
【補正対象書類名】明細書
【補正対象項目名】０００６
【補正方法】変更
【補正の内容】
【０００６】
上記目的を達成するため、請求項１記載の発明は、有底筒状に形成されたトラップ本体と、前記トラップ本体内に排水を流入させる流入部と、前記トラップ本体の側部に設けられ前記流入部から流入した排水が流出する流出部と、前記流出部と排水管とを接続し、前記流出部から流出する排水を排水管に導く接続継手とを備えた排水トラップにおいて、前記接続継手は、前記トラップ本体の延在方向に垂直な方向の周りに回転可能に前記トラップ本体に取り付けられ前記流出部に接続されたＬ字状の第１の管と、第１の管の前記トラップ本体と反対側の端部に、この端部部分の延在方向の周りに回転可能に取り付けられた第２の管とを有し、第２の管は、排水管を締結して接続するための締結手段をその両端にそれぞれ有し、第１の管を、前記トラップ本体に対し、前記トラップ本体の延在方向に垂直な方向の周りにおいて所定の角度をなす状態で接続するための規制機構を有することを特徴とする。
【手続補正３】
【補正対象書類名】明細書
【補正対象項目名】０００７
【補正方法】変更
【補正の内容】
【０００７】
この構成によれば、排水が流出する流出部を有するトラップ本体と、流出部から流出する排水を排水管に導く接続継手とを備え、接続継手の姿勢の自由度を向上することによって設置上の自由度を向上した排水トラップとなっている。また、この構成によれば、排水が流出する流出部を有するトラップ本体と、流出部から流出する排水を排水管に導く接続継手とを備え、接続継手の姿勢の自由度を向上することによって設置上の自由度を向上するとともに、トラップ本体に対して第１の管を当該方向の回りにおいて所定の角度をなした姿勢で維持し、これにより例えばいわゆる壁排水、床排水に適した姿勢に維持し、また排水の漏れを防止する排水トラップとなっている。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３記載の発明は、その装着により第２の管が第１の管に対して回転することを阻止する回転阻止部材を着脱可能に有することを特徴とする。
【手続補正７】
【補正対象書類名】明細書
【補正対象項目名】００１４
【補正方法】変更
【補正の内容】
【００１４】
請求項４記載の発明は、前記トラップ本体は、排水が前記流入部に逆流することを防止するために前記トラップ本体の内外の空間を連通させた連通口を有し、前記連通口の、前記トラップ本体の底壁側の端部位置と、前記トラップ本体の底壁との間隔は、前記トラップ本体の延在方向の周りにおける、前記第１の管が取り付けられた方向において最小であることを特徴とする。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
駆動手段で回転駆動されると共に、空気調和機に内蔵されたエアフイルターに付着した塵埃を掻き取る回転清掃体と、前記回転清掃体で掻き取られた塵埃を収納する集塵ボックスと、前記集塵ボックスに収納された前記塵埃を前記集塵ボックス内で移送する塵埃移送手段とを備えた空気調和機用清掃装置。
【請求項２】
回転清掃体は、集塵ボックス内に着脱自在に収納されると共に、前記集塵ボックスを空気調和機に着脱自在とした請求項1に記載の空気調和機用清掃装置。
【請求項３】
集塵ボックスに塵埃排出用の塵埃排出口を設け、前記塵埃排出口を塞ぐ蓋体を着脱自在または／及び開閉自在に設けた請求項1又は２に記載の空気調和機用清掃装置。
【請求項４】
集塵ボックスに塵埃排出用の塵埃排出口を設け、前記塵埃排出口を塞ぐ蓋体を開閉自在に設けると共に、少なくとも前記蓋体の開動作と、塵埃移送手段が塵埃を前記集塵ボックス内で移送する動作とを連動させた請求項1又は２に記載の空気調和機用清掃装置。
【請求項５】
回転清掃体に付着した塵埃を除去する塵埃除去手段を設けた請求項１〜４のいずれか１項に記載の空気調和機用清掃装置。
【請求項６】
回転清掃体を、棒状の軸体と、前記軸体に螺旋状に巻き付けられると共に基布と前記基布に植毛されたブラシ部からなる起毛布とで構成した請求項１〜５のいずれか１項に記載の空気調和機用清掃装置。
【請求項７】
軸体に巻きつけられた起毛布の全幅寸法（有効清掃幅寸法）を５００ｍｍ以上とした請求項６に記載の空気調和機用清掃装置。
【請求項８】
塵埃移送手段を、指で操作するためのつまみと、前記つまみに連結され、集塵ボックス内で移動する移送板とで構成し、前記移送板の周縁に、前記集塵ボックスの内壁を清掃する清掃片を設けた請求項１〜７のいずれか１項に記載の空気調和機用清掃装置。
【請求項９】
空気調和機用清掃装置の内部や外部に付着した塵埃を払うための手入れ用のハケと、前記ハケを着脱自在に保持するハケ保持部を備えた請求項１〜８のいずれか１項に記載の空気調和機用清掃装置。
【請求項１０】
熱交換器と、前記熱交換器の上流側に配され流入する空気に含まれる塵埃を捕獲するエアフイルターと、請求項１〜９のいずれか1項に記載の空気調和機用清掃装置を備えた空気調和機。
【手続補正２】
【補正対象書類名】明細書
【補正対象項目名】００１８
【補正方法】変更
【補正の内容】
【００１８】
第４の発明は、特に、第１又は第２の発明の集塵ボックスに塵埃排出用の塵埃排出口を設け、前記塵埃排出口を塞ぐ蓋体を開閉自在に設けると共に、少なくとも前記蓋体の開動作と、塵埃移送手段が塵埃を前記集塵ボックス内で移送する動作とを連動させたもので、集塵ボックス内に堆積した塵埃を、塵埃移送手段で、塵埃排出口まで移送すると、その間に塵埃が圧縮されるが、その移送動作に連動して蓋体が開放するようにすれば、一つの移送動作で、塵埃を一箇所の塵埃排出口から排出できると共に、塵埃が圧縮されているので、廃棄時に、塵埃が周囲に飛び散ることが無く、衛生的である。
【手続補正３】
【補正対象書類名】明細書
【補正対象項目名】００２３
【補正方法】変更
【補正の内容】
【００２３】
第９発明は、特に、第１〜８のいずれか一つの発明の空気調和機用清掃装置に、空気調和機用清掃装置の内部や外部に付着した塵埃を払うための手入れ用のハケと、前記ハケを着脱自在に保持するハケ保持部を備えたもので、塵埃を廃棄する都度、回転清掃体や、集塵ボックスをハケできれいにすることができると共に、そのハケの保管が容易で、しかもその保管場所を忘れることも無いので非常に使用勝手の良いものである。
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
傘本体に頭部とつばを設け、同つばには、形状記憶ワイヤーの骨部を複数本設け、頭部とつばにレース裏に、アミ目模様の薄い布を通常より長く顔全体を紫外線より守るように設け、前記頭部に設けたバンドとリボンの中には止めピンを設ける。前記つば前面の開閉が上下に自由に調整できるように、頭部横のつばにまちを設けたことを特徴とする日焼けぼうし傘。
【手続補正２】
【補正対象書類名】明細書
【補正対象項目名】０００４
【補正方法】変更
【補正の内容】
【０００４】そこで本発明では、傘本体に頭部とつばを設け、同つばには、形状記憶ワイヤーの骨部を複数本設け、頭部とつばにレース裏に前が見えるように、アミ目模様の薄い布を設け、つばを通常より長く顔全体を紫外線より守るように、前記頭部に設けたバンドとリボンの中に止めピンを設け、コンパクトに折りたたんでとめる。前記つば前面の開閉が上下に自由に調整できるように、頭部横のつばにまちを設けたことを特徴とする日焼けぼうし傘。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
ポリマーアロイ構造によりポリ乳酸樹脂を他の熱可塑性樹脂が被覆してなる繊維を含んでなることを特徴とする内装材。
【請求項２】
ポリ乳酸樹脂の他の熱可塑性樹脂が、熱可塑性ポリアミド、ポリアセタール、ポリプロピレン、ポリエチレン、ポリトリメチレンテレフタレート、ポリエチレンテレフタレートのいずれかである、請求項１記載の内装材。
【請求項３】
ポリ乳酸樹脂の他の熱可塑性樹脂が熱可塑性ポリアミド樹脂である、請求項１または２記載の内装材。
【請求項４】
ポリ乳酸樹脂の他の熱可塑性樹脂が融点１５０〜２５０℃である、請求項１〜３のいずれか記載の内装材。
【請求項５】
ポリ乳酸樹脂と他の熱可塑性樹脂とのブレンド比率が質量比で５／９５〜５５／４５である、請求項１〜４のいずれか記載の内装材。
【請求項６】
ポリ乳酸樹脂を他の熱可塑性樹脂が被覆してなる繊維が、ドメインサイズの平均値が０．００１〜２μｍである海島構造を有するポリマーアロイ繊維である、請求項１〜５のいずれか記載の内装材。
【請求項７】
内装材が自動車用である、請求項１〜６のいずれか記載の内装材。
【手続補正２】
【補正対象書類名】明細書
【補正対象項目名】００１２
【補正方法】変更
【補正の内容】
【００１２】
すなわち本発明は、ポリマーアロイ構造によりポリ乳酸樹脂を他の熱可塑性樹脂が被覆してなる複合繊維を含んでなることを特徴とする内装材である。
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
ワークに向けてプラズマを供給するプラズマ供給手段を有し、
前記ワークに前記プラズマを接触させることにより反応物を生成し、前記反応物を前記ワークから脱離させることにより、前記ワークにエッチング加工を施すプラズマ処理装置であって、
前記プラズマ供給手段は、前記ワークが位置する空間から隔離された燃焼室を備えており、該燃焼室内において、火炎中に処理ガスを導入することにより、前記処理ガスをプラズマ化して前記プラズマを発生させ、該発生したプラズマを前記ワークに向けて放射するよう構成されており、
前記火炎は、前記処理ガスと水素ガスを主成分とする可燃性ガスとを混合して混合ガスを生成した後、前記混合ガスと酸素ガスを主成分とする助燃性ガスとを合流させ、この合流の位置で、これらのガスを燃焼させて発生させたものであることを特徴とするプラズマ処理装置。
【請求項２】
前記火炎は、火炎放射器から放射されており、
該火炎放射器と前記ワークとの距離を設定することにより、前記エッチング加工の加工量を調整する請求項１に記載のプラズマ処理装置。
【請求項３】
前記ワークは、ガラス材料で構成されている請求項１または２に記載のプラズマ処理装置。
【請求項４】
当該プラズマ処理装置は、水を電気分解して水素ガスと酸素ガスとを発生させ、発生したガスを前記プラズマ供給手段に導入するガス発生手段を有する請求項１ないし３のいずれかに記載のプラズマ処理装置。
【請求項５】
前記混合ガスの流量を設定することにより、前記エッチング加工の加工量を調整する請求項１ないし４のいずれかに記載のプラズマ処理装置。
【請求項６】
当該プラズマ処理装置は、前記ワークに向けて前記プラズマを供給する前に、あらかじめ前記ワークを加熱する加熱手段を備える請求項１ないし５のいずれかに記載のプラズマ処理装置。
【請求項７】
請求項１ないし６のいずれかに記載のプラズマ処理装置を用いて、前記ワークにエッチング加工を施すことを特徴とするプラズマ処理方法。
【手続補正２】
【補正対象書類名】明細書
【補正対象項目名】０００７
【補正方法】変更
【補正の内容】
【０００７】
このような目的は、下記の本発明により達成される。
本発明のプラズマ処理装置は、ワークに向けてプラズマを供給するプラズマ供給手段を有し、
前記ワークに前記プラズマを接触させることにより反応物を生成し、前記反応物を前記ワークから脱離させることにより、前記ワークにエッチング加工を施すプラズマ処理装置であって、
前記プラズマ供給手段は、前記ワークが位置する空間から隔離された燃焼室を備えており、該燃焼室内において、火炎中に処理ガスを導入することにより、前記処理ガスをプラズマ化して前記プラズマを発生させ、該発生したプラズマを前記ワークに向けて放射するよう構成されており、
前記火炎は、前記処理ガスと水素ガスを主成分とする可燃性ガスとを混合して混合ガスを生成した後、前記混合ガスと酸素ガスを主成分とする助燃性ガスとを合流させ、この合流の位置で、これらのガスを燃焼させて発生させたものであることを特徴とする。
これにより、前記ワークに対して効率よくエッチング加工を行うことができ、かつ小型で安価なプラズマ処理装置が得られる。
また、ワークが位置する空間から隔離された燃焼室を備えているため、高温の火炎が前記ワークに直接接触せず、火炎によってワークが変質・劣化するのを確実に防止するという効果が得られる。これにより、より耐熱性が低いため、火炎に直接曝すことができない材料で構成されたワークに対しても、エッチング加工を施すことができる。
また、火炎として可燃性ガスと助燃性ガスとの混合ガスを燃焼させて発生させたものを用いたため、可燃性ガスを効率よく燃焼させることができ、より高いエネルギーの火炎を発生させることができる。
また、可燃性ガスと処理ガスとをあらかじめ混合した後、得られた混合ガスに助燃性ガスを合流させ、この合流の位置において燃焼させるようにしたため、燃焼前に可燃性ガスと処理ガスとが互いに十分に拡散し合う。このため、可燃性ガスが燃焼した際に発生するエネルギーを、効率よく処理ガスに付与することができる。その結果、処理ガス中のガス分子を確実に熱分解させることができる。また、可燃性ガスと助燃性ガスとが合流する位置で燃焼させているので、火炎が可燃性ガスの供給方向に向かって逆流してしまうのを確実に防止することができる。
また、水素ガスは、燃焼する際に、前記ワークにとって汚染原因となり得る炭素を発生させない。このため、ワークを清浄な状態に維持しつつ、良好なプラズマ処理が可能となる。
また、水素ガスと酸素ガスとが反応すると水が発生するが、水は、前記ワークに付着しても変質・劣化等を招き難く、さらに、環境に対する負荷がないという利点を有する。
【手続補正３】
【補正対象書類名】明細書
【補正対象項目名】０００８
【補正方法】変更
【補正の内容】
【０００８】
本発明のプラズマ処理装置では、前記火炎は、火炎放射器から放射されており、
該火炎放射器と前記ワークとの距離を設定することにより、前記エッチング加工の加工量を調整することが好ましい。
これにより、前記エッチング加工の加工量を容易に調整することができる。また、前記火炎を発生させるガスや前記処理ガスの流量を変更する場合、流量の変更が前記火炎の熱量の変化、すなわち前記エッチング加工の加工量に反映されるのに一定のタイムラグが伴うため、その間、加工を中断する必要があるが、前記火炎放射器と前記ワークとの距離を設定する方法によれば、より少ないタイムラグで前記加工量の調整を行うことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明のプラズマ処理装置では、前記ワークは、ガラス材料で構成されていることが好ましい。
前記ワークには、火炎が直接接触しないので、比較的耐熱性が低い前記ワークに対して前記エッチング加工を施す際に、その効果が特に発揮される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１５
【補正方法】変更
【補正の内容】
【００１５】
本発明のプラズマ処理方法は、本発明のプラズマ処理装置を用いて、前記ワークにエッチング加工を施すことを特徴とする。
これにより、前記ワークに対して効率よく前記エッチング加工を行うことができる。
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
パルプスラリーをｐＨ７．５〜１０のアルカリ条件下に所定時間保持するアルカリ処理を行うとともに、このアルカリ処理中またはアルカリ処理後のパルプスラリーに柔軟剤を添加し、この柔軟剤を添加して得られるパルプスラリーを用いて抄紙してなる、ことを特徴とする柔軟性薄葉紙。
【請求項２】
前記パルプスラリーの温度を４５〜７５℃とした状態で前記アルカリ処理を行う、請求項１記載の柔軟性薄葉紙。
【請求項３】
前記アルカリ条件下にするために前記パルプスラリーに水酸化ナトリウムを添加する、請求項１又は２記載の柔軟性薄葉紙。
【手続補正２】
【補正対象書類名】明細書
【補正対象項目名】０００８
【補正方法】変更
【補正の内容】
【０００８】
＜請求項３記載の発明＞
前記アルカリ条件下にするために前記パルプスラリーに水酸化ナトリウムを添加する、請求項１又は２記載の柔軟性薄葉紙。
【手続補正書】
【提出日】平成21年6月30日(2009.6.30)
【手続補正１】
【補正対象書類名】明細書
【補正対象項目名】００２３
【補正方法】変更
【補正の内容】
【００２３】
（５）シェアレート：γ
吐出線速度は、下記計算式により算出した。
【数２】
2008057090.tif 000001
γ：シェアレート、  Ｑ２：１孔当たりの１秒間の吐出量、  Ｄ：口金の孔径、  ρ：溶
融ポリマー密度
【手続補正書】
【提出日】平成21年9月2日(2009.9.2)
【手続補正１】
【補正対象書類名】明細書
【補正対象項目名】０００２
【補正方法】変更
【補正の内容】
【０００２】
従来、特定の撮影条件、例えば夜景モードで、しかも近くにいる人物と背景とを同時に撮影するようなポートレート夜景シーンでも適切な撮影を可能とするべく、合焦位置とストロボの発光量を自動制御するようにしたカメラが考えられていた。（例えば、特許文献１）
また、複数の撮影条件について、それぞれ適当な見本画像を表示することによってそれらの中から選択された結果に対応して、適切な撮影用の各種条件のパラメータ設定を実行するようにした、見本画像付きの撮影モード選択機能を有する技術として、特許文献２乃至６があった。
【特許文献１】特開２００４−０６２０５８号公報
【特許文献２】特開２００２−０１０１３３号公報
【特許文献３】特開２００２−０１０１３４号公報
【特許文献４】特開２００２−０９４８３８号公報
【特許文献５】特開２００４−０４８７８６号公報
【特許文献６】特開２００４−２５４２５６号公報
【手続補正書】
【提出日】平成21年11月4日(2009.11.4)
【手続補正１】
【補正対象書類名】明細書
【補正対象項目名】００２１
【補正方法】変更
【補正の内容】
【００２１】
裁断機２０で被裁断材２２を裁断する場合、たとえば裁断テーブル２３の一隅、たとえば搬送方向の前方右端などを原点として、原点から大略的に搬送方向の逆方向のＸ軸の方向へ、裁断ヘッド２６が移動する。Ｙビーム２７よりも搬出側では、裁断済みの部分が残る。このため、Ｙビーム２７は、搬出側にカバーシートロール３２を支持し、カバーシートロール３２から引き出されるカバーシートの先端は、架台２１で固定して支持されるカバーシート支持棒３３で支持する。カバーシートは裁断されないので、何回でも繰り返して使用することができる。消耗材である密閉シート３４は、搬入側の架台２１に設けられる密閉シートロール軸３５に装着されるロールから引き出されて使用される。
【手続補正２】
【補正対象書類名】明細書
【補正対象項目名】００２２
【補正方法】変更
【補正の内容】
【００２２】
裁断機２０では、密閉シート３４として、裁断テーブル２３の幅方向の一部しか覆わない幅のものを使用可能である。ただし、狭い幅の密閉シート３４で覆われない裁断テーブル２３の表面は、可動カバー部材４０と中間カバー４１とで覆われる。中間カバー４１は、単に裁断テーブル２３上に載置するだけでよいので、使用か不使用かの切り替えも簡単である。中間カバー４１を使用する場合は裁断幅Ａとなり、使用しない場合は裁断幅Ｂとなる。密閉シート３４は、裁断幅Ａに対応している。
【手続補正３】
【補正対象書類名】明細書
【補正対象項目名】００３０
【補正方法】変更
【補正の内容】
【００３０】
図７は、図４〜図６のレバー５３に付加して、リンク機構５８を可動カバー部材４０の離隔機構として利用するための構成を示す。（ａ）は平面視、（ｂ）は正面視、（ｃ）は側面視としてそれぞれ示す。レバー５３には、引出アーム６９の下端側が装着される。引出アーム６９の上端側には、駆動レバー７０が装着される。駆動レバー７０には、図２に示すリンク部材４３のガイド孔４３ａに挿通される駆動軸７０ａが設けられ、（ａ）および（ｂ）では図示を省略しているけれども、（ｃ）に示すように、駆動レバー７０は駆動軸７０ａで可動カバー部材４０のリンク部材４３を昇降駆動する。図２のリンク部材４４側も同様に駆動する。図３（ｃ）に示すように、可動カバー部材４０を使用しない場合は、駆動軸７０ａをリンク部材４３から外せばよい。
【手続補正４】
【補正対象書類名】明細書
【補正対象項目名】００３８
【補正方法】変更
【補正の内容】
【００３８】
２０，８０  裁断機
２２  被裁断材
２３  裁断テーブル
２６  裁断ヘッド
３４，３４ａ，３４ｂ，３４ｃ  密閉シート
４０  可動カバー部材
４１  中間カバー
４２  昇降バー
４３，４４，８３，８４  リンク部材
４５  剛毛ブロック
４６  ブラシガイド
５０  コンベアテーブル開口部のカバー装置
５２  カバー部材
５９  揺動シリンダ
６９  引出アーム
７０  駆動レバー
８１  ロール
【手続補正５】
【補正対象書類名】図面
【補正対象項目名】図１０
【補正方法】変更
【補正の内容】
【図１０】
2008119773.tif 000001
【手続補正書】
【提出日】平成21年3月24日(2009.3.24)
【手続補正１】
【補正対象書類名】明細書
【補正対象項目名】００２９
【補正方法】変更
【補正の内容】
【００２９】
図８は実施例３の説明図である。本実施例３においては、実施例１、２のように混練容器８内の材料を撹拌するのではなく、混練容器８内の材料中に含まれる気泡を取り除く脱泡を行うことを目的としている。上下動駆動部１０を駆動し回転板１２を十分に上方に持ち上げた後に、公転用電動機２を高速に回転させることにより、取付アダプタ７、混練容器８には強い遠心力が働き、ほぼ水平な状態となる。これにより混練容器８内の材料は遠心力により、混練容器８内の底部に移動することにより、材料中の気泡が脱泡し易くなる。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
５価の砒素を含む溶液に２価の鉄イオンを加えて、溶液中の砒素に対する鉄のモル比を１以上にし、酸化剤を加えて大気圧下で撹拌しながら温度７０℃以上で反応させた後、固液分離して固形分を回収することを特徴とする、砒素含有溶液の処理方法。
【請求項２】
前記砒素に対する鉄のモル比が１〜１．５であることを特徴とする、請求項１に記載の砒素含有溶液の処理方法。
【請求項３】
前記温度が９５℃以下であることを特徴とする、請求項１または２に記載の砒素含有溶液の処理方法。
【請求項４】
前記溶液中の砒素の濃度が１０ｇ／Ｌ以上であることを特徴とする、請求項１乃至３のいずれかに記載の砒素含有溶液の処理方法。
【請求項５】
前記溶液中の砒素の濃度が２０ｇ／Ｌ以上であることを特徴とする、請求項１乃至３のいずれかに記載の砒素含有溶液の処理方法。
【請求項６】
前記５価の砒素を含む溶液に前記２価の鉄イオンを加えて、前記溶液のｐＨを２以下にすることを特徴とする、請求項１乃至５のいずれかに記載の砒素含有溶液の処理方法。
【請求項７】
前記２価の鉄イオンとして硫酸鉄（ＩＩ）七水塩を前記溶液に加えることを特徴とする、請求項１乃至６のいずれかに記載の砒素含有溶液の処理方法。
【請求項８】
前記酸化剤が酸素ガスであることを特徴とする、請求項１乃至７のいずれかに記載の砒素含有溶液の処理方法。
【請求項９】
前記砒素を含む溶液が、砒素含有物質をアルカリ溶液に加えてｐＨ１０以上にして酸化しながらアルカリ浸出した後に固液分離して砒素を含む浸出液を得る工程と、この浸出液にアルカリ土類金属またはその塩を添加した後に固液分離して砒素とアルカリ土類金属の化合物を含む残渣を得る工程と、この残渣を洗浄して硫酸溶液に添加した後に固液分離して砒素含有溶液を得る工程とを備えた方法によって製造された砒素含有溶液であることを特徴とする、請求項１乃至８のいずれかに記載の砒素含有溶液の処理方法。
【請求項１０】
前記砒素含有溶液の製造の際に、前記砒素含有物質として硫黄を含む砒素含有物質を使用するか、あるいは前記砒素含有物質が硫黄を含まない場合には前記砒素含有物質または前記浸出液に硫黄を添加し、さらに、前記浸出液に添加する前記アルカリ土類金属またはその塩の量を、前記砒素とアルカリ土類金属の化合物を生成するのに必要なアルカリ土類金属またはその塩の量以上にすることを特徴とする、請求項９に記載の砒素含有溶液の処理方法。
【手続補正２】
【補正対象書類名】明細書
【補正対象項目名】０００７
【補正方法】変更
【補正の内容】
【０００７】
本発明者らは、上記課題を解決するために鋭意研究した結果、５価の砒素を含む溶液に２価の鉄イオンを加えて、溶液中の砒素に対する鉄のモル比（Ｆｅ／Ａｓ）を１以上にし、酸化剤を加えて大気圧下で撹拌しながら温度７０℃以上で反応させた後、固液分離して固形分を回収することにより、砒素の溶出濃度が非常に小さい鉄と砒素の化合物として回収することができることを見出し、本発明を完成するに至った。
【手続補正３】
【補正対象書類名】明細書
【補正対象項目名】０００８
【補正方法】変更
【補正の内容】
【０００８】
すなわち、本発明による砒素含有溶液の処理方法は、５価の砒素を含む溶液に２価の鉄イオンを加えて、溶液中の砒素に対する鉄のモル比を１以上にし、酸化剤を加えて大気圧下で撹拌しながら温度７０℃以上で反応させた後、固液分離して固形分を回収することを特徴とする。
【手続補正４】
【補正対象書類名】明細書
【補正対象項目名】０００９
【補正方法】変更
【補正の内容】
【０００９】
この砒素含有溶液の処理方法において、砒素に対する鉄のモル比が１〜１．５であるのが好ましく、反応温度が９５℃以下であるのが好ましい。また、溶液中の砒素の濃度が１０ｇ／Ｌ以上であるのが好ましく、２０ｇ／Ｌ以上であるのがさらに好ましい。また、５価の砒素を含む溶液に２価の鉄イオンを加えて、溶液のｐＨを２以下にするのが好ましい。また、２価の鉄イオンとして硫酸鉄（ＩＩ）七水塩を溶液に加えるのが好ましい。さらに、酸化剤として酸素ガスを使用することができる。
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
複数の中空糸膜が束ねられた直方体状の中空糸膜束を備え、長さ方向の全部の位置において外周を円筒に形成された中空糸膜束体と、
中空糸膜束体を包む筒部を有するケースであって、長さ方向の全部の位置において筒部の内周を円筒に形成された外ケースと、
外ケースを利用して形成され、中空糸膜束体の一端において中空糸膜の中空部へと第１の流体を導き入れ、中空糸膜束体の他端において中空糸膜の中空部から第１の流体を導き出す第１流路と、
外ケースを利用して形成され、中空糸膜束体の側面において中空糸膜間へと第２の流体を導き入れ、中空糸膜束体の側面において中空糸膜間から第２の流体を導き出す第２流路と、
中空糸膜束体の円筒の外周と外ケースの円筒の内周との間に設けられ、第１流路側と第２流路側とをシールする環状のシール部材と、
を備え、
第１の流体と第２の流体との間で、中空糸膜を介して流体組成物の移動が行われる中空糸膜モジュール。
【請求項２】
請求項１に記載の中空糸膜モジュールであって、
第１流路は、中空糸膜束の一端側に形成され、第１の流体を中空糸膜束の一端へと導き入れる第１入口流路と、中空糸膜束の他端側に形成され、第１の流体を中空糸膜の他端から導き出す第１出口流路とを備え、
シール部材は、第１入口流路側と第２流路側とをシールする、または第１出口流路側と第２流路側とをシールする中空糸膜モジュール。
【請求項３】
請求項１に記載の中空糸膜モジュールにおいて、
中空糸膜束体は中空糸膜束の側面を包む筒部を有する内ケースを備え、この内ケースの筒部が長さ方向の全部の位置において外周を円筒に形成されている中空糸膜モジュール。
【請求項４】
請求項３に記載の中空糸膜モジュールであって、
第２流路は、長さ方向のある位置で内ケースの側面を貫いて、中空糸膜束の側面に第２の流体を導き入れる第２入口流路と、長さ方向の別の位置で内ケースの側面を貫いて、中空糸膜束の側面から第２の流体を導き出す第２出口流路とを備え、
内ケースの円筒の外周と外ケースの円筒の内周との間に設けられ、第２入口流路側と第２出口流路側とをシールする環状のシール部材をさらに備える当該中空糸膜モジュール。
【請求項５】
複数の中空糸膜が束ねられ、一端から他端へと中空糸膜の中空部に第１の流体が流される直方体状の中空糸膜束と、
直方体状の中空糸膜束の側面を包む筒部を有するケースであって、長さ方向の全部の位置において筒部の外周を円筒に形成された内ケースと、
内ケースの側面を包む筒部を有するケースであって、長さ方向の全部の位置において筒部の内周を円筒に形成された外ケースと、
外ケースを利用して形成され、長さ方向のある位置で内ケースの側面を貫いて、中空糸膜束の側面から中空糸膜間に第２の流体を導き入れる第２入口流路と、
外ケースを利用して形成され、長さ方向の別の位置で内ケースの側面を貫いて、中空糸膜束の側面から第２の流体を導き出す第２出口流路と、
内ケースの円筒の外周と外ケースの円筒の内周との間に設けられ、第２入口流路側と第２出口流路側とをシールする環状のシール部材と、
を備え、
第１の流体と第２の流体との間で、中空糸膜を介して流体組成物の移動が行われる中空糸膜モジュール。
【請求項６】
請求項３または５に記載の中空糸膜モジュールであって、
中空糸膜と内ケースは、互いの熱膨張差を吸収可能な同一または異なる種類の樹脂を用いて作られ、
外ケースは金属を用いて作られ、
環状シール部材は、内ケースと外ケースの熱膨張差を吸収可能な圧縮性素材によって作られる中空糸膜モジュール。
【請求項７】
請求項４または５に記載の中空糸膜モジュールであって、
第２入口流路における内ケースと中空糸膜束との間には、第２の流体を筒軸方向に拡げて中空糸膜束の側面に導く孔付仕切板が設けられている中空糸膜モジュール。
【請求項８】
請求項７に記載の中空糸膜モジュールであって、
孔付仕切板の孔は、内ケースを貫いて導き入れられる第２の流体が直撃する付近には設けられていない、または他に比べて孔面積が小さくなるように設けられている中空糸膜モジュール。
【請求項９】
請求項７に記載の中空糸膜モジュールであって、
孔付仕切板の孔面積は、内ケースを貫いて導き入れられる第２の流体が直撃する付近から長さ方向に離れるほど大きく設定されている中空糸膜モジュール。
【請求項１０】
請求項１乃至９のいずれか１項に記載の中空糸膜モジュールと、
供給される水素と酸素に対し、水を生成する化学反応を起こさせ、電力を取り出す燃料電池と、
を備え、
前記第１の流体と前記第２の流体の一方は、燃料電池に供給される酸素を含む流体であり、他方は、燃料電池で生成された水を含む流体であり、
前記中空糸膜モジュールは、前記燃料電池で生成された水の少なくとも一部を、前記燃料電池に供給される酸素を含む流体に移動させ加湿させる燃料電池システム。
【手続補正２】
【補正対象書類名】明細書
【補正対象項目名】００１０
【補正方法】変更
【補正の内容】
【００１０】
本発明の中空糸膜モジュールは、複数の中空糸膜が束ねられた直方体状の中空糸膜束を備え、長さ方向の全部の位置において外周を円筒に形成された中空糸膜束体と、中空糸膜束体を包む筒部を有するケースであって、長さ方向の全部の位置において筒部の内周を円筒に形成された外ケースと、外ケースを利用して形成され、中空糸膜束体の一端において中空糸膜の中空部へと第１の流体を導き入れ、中空糸膜束体の他端において中空糸膜の中空部から第１の流体を導き出す第１流路と、外ケースを利用して形成され、中空糸膜束体の側面において中空糸膜間へと第２の流体を導き入れ、中空糸膜束体の側面において中空糸膜間から第２の流体を導き出す第２流路と、中空糸膜束体の円筒の外周と外ケースの円筒の内周との間に設けられ、第１流路側と第２流路側とをシールする環状のシール部材と、を備え、第１の流体と第２の流体との間で、中空糸膜を介して流体組成物の移動が行われる。
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
溶剤を用いて洗濯を行うドライクリーナの洗濯に使用後の当該溶剤を蒸留釜で気化させた後、凝縮液化させて洗濯に再利用可能にする蒸留装置であって、溶剤タンク内に貯留された溶剤と洗濯に使用後の溶剤をフィルタで濾過した際の非濾過物を含む溶剤とを選択的に前記蒸留釜に導入するように成した溶剤蒸留装置において、
前記ドライクリーナにあって、溶剤が流れる流路中に配設されたバルブの開閉動作の回数に基づいて前記蒸留釜に導入する溶剤を溶剤タンク内に貯留された溶剤か、もしくは前記非濾過物を含む溶剤かを選択する制御手段を備えることを特徴とする溶剤蒸留装置。
【請求項２】
前記制御手段は、前記バルブの開閉動作の回数が所定の値に達した際に、前記蒸留釜に導入する溶剤を前記非濾過物を含む溶剤にする制御を行うことを特徴とする請求項１に記載の溶剤蒸留装置。
【請求項３】
前記制御手段は、前記バルブの開閉動作の回数が所定の値に達する前は、前記蒸留釜に導入する溶剤を溶剤タンク内に貯留された溶剤にする制御を行うことを特徴とする請求項１に記載の溶剤蒸留装置。
【請求項４】
前記制御手段は、前記蒸留釜に導入する溶剤を前記非濾過物を含む溶剤に選択し、当該溶剤の蒸留釜での気化を行った後に前記回数を初期値もしくはゼロに変更する制御を行うことを特徴とする請求項２に記載の溶剤蒸留装置。
【請求項５】
前記所定の値は、前記ドライクリーナの洗濯回数にかかる値もしくは推定できる値であることを特徴とする請求項４に記載の溶剤蒸留装置。
【請求項６】
前記フィルタはスピンディスクフィルターであり、前記非濾過物を含む溶剤は前記スピンディスクフィルターの濾過容器内の内容物であることを特徴とする請求項４に記載の溶剤蒸留装置。
【手続補正２】
【補正対象書類名】明細書
【補正対象項目名】００１０
【補正方法】変更
【補正の内容】
【００１０】
請求項１に係る発明は、溶剤を用いて洗濯を行うドライクリーナの洗濯に使用後の当該溶剤を蒸留釜で気化させた後、凝縮液化させて洗濯に再利用可能にする蒸留装置であって、溶剤タンク内に貯留された溶剤と洗濯に使用後の溶剤をフィルタで濾過した際の非濾過物を含む溶剤とを選択的に前記蒸留釜に導入するように成した溶剤蒸留装置において、前記ドライクリーナにあって、溶剤が流れる流路中に配設されたバルブの開閉動作の回数に基づいて前記蒸留釜に導入する溶剤を溶剤タンク内に貯留された溶剤か、もしくは前記非濾過物を含む溶剤かを選択する制御手段を備えることを特徴とする。
【手続補正３】
【補正対象書類名】明細書
【補正対象項目名】００１１
【補正方法】変更
【補正の内容】
【００１１】
請求項２に係る発明は、請求項１に記載の発明において、前記制御手段は、前記バルブの開閉動作の回数が所定の値に達した際に、前記蒸留釜に導入する溶剤を前記非濾過物を含む溶剤にする制御を行うことを特徴とする。
【手続補正４】
【補正対象書類名】明細書
【補正対象項目名】００１２
【補正方法】変更
【補正の内容】
【００１２】
請求項３に係る発明は、請求項１に記載の発明において、前記制御手段は、前記バルブの開閉動作の回数が所定の値に達する前は、前記蒸留釜に導入する溶剤を溶剤タンク内に貯留された溶剤にする制御を行うことを特徴とする。
【手続補正５】
【補正対象書類名】明細書
【補正対象項目名】００１３
【補正方法】変更
【補正の内容】
【００１３】
請求項４に係る発明は、請求項２に記載の発明において、前記制御手段は、前記蒸留釜に導入する溶剤を前記非濾過物を含む溶剤に選択し、当該溶剤の蒸留釜での気化を行った後に前記回数を初期値もしくはゼロに変更する制御を行うことを特徴とする。
【手続補正６】
【補正対象書類名】明細書
【補正対象項目名】００１４
【補正方法】変更
【補正の内容】
【００１４】
請求項５に係る発明は、請求項４に記載の発明において、前記所定の値は、前記ドライクリーナの洗濯回数にかかる値もしくは推定できる値であることを特徴とする。
【手続補正７】
【補正対象書類名】明細書
【補正対象項目名】００１５
【補正方法】変更
【補正の内容】
【００１５】
請求項６に係る発明は、請求項４に記載の発明において、前記フィルタはスピンディスクフィルターであり、前記非濾過物を含む溶剤は前記スピンディスクフィルターの濾過容器内の内容物であることを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を可変表示させた後に表示結果を導出表示する可変表示装置と、遊技者にとって有利な第１の状態と遊技者にとって不利な第２の状態とに変化可能な特別可変入賞装置とを備える遊技機であって、
前記特別可変入賞装置が前記第１の状態に変化するラウンド遊技が可能な特定遊技状態とする第１結果と、前記ラウンド遊技において前記特別可変入賞装置が前記第１の状態となる期間が前記特定遊技状態よりも短い短期特定遊技状態とする第２結果と、前記特定遊技状態および前記短期特定遊技状態のいずれにもしない第３結果と、を含む複数種類の結果のうちいずれの結果とするかを決定し、前記第２結果に決定する場合に、前記短期特定遊技状態終了後に前記特定遊技状態の発生確率が通常状態よりも高い高確率状態となる高確率結果とすることを更に決定する決定手段と、
前記決定手段により前記第１結果に決定されたときに、前記特定遊技状態において実行中のラウンド数を表示し、前記決定手段により前記第２結果かつ前記高確率結果に決定されたときに、前記短期特定遊技状態において実行中のラウンド数を表示せずに前記短期特定遊技状態に特有の演出画像を表示する表示制御を行う表示制御手段とを備えることを特徴とする、遊技機。
【手続補正２】
【補正対象書類名】明細書
【補正対象項目名】０００１
【補正方法】変更
【補正の内容】
【０００１】
本発明は、各々が識別可能な複数種類の識別情報を可変表示させた後に表示結果を導出表示する可変表示装置と、遊技者にとって有利な第１の状態と遊技者にとって不利な第２の状態とに変化可能な特別可変入賞装置とを備える遊技機に関するものである。
【手続補正３】
【補正対象書類名】明細書
【補正対象項目名】０００７
【補正方法】変更
【補正の内容】
【０００７】
本発明の目的とするところは、遊技者の興趣を高めることができる遊技機を提供することにある。
【手続補正４】
【補正対象書類名】明細書
【補正対象項目名】０００８
【補正方法】変更
【補正の内容】
【０００８】
（１）  各々が識別可能な複数種類の識別情報を可変表示させた後に表示結果を導出表示する可変表示装置と、遊技者にとって有利な第１の状態と遊技者にとって不利な第２の状態とに変化可能な特別可変入賞装置とを備える遊技機であって、
前記特別可変入賞装置が前記第１の状態に変化するラウンド遊技が可能な特定遊技状態とする第１結果と、前記ラウンド遊技において前記特別可変入賞装置が前記第１の状態となる期間が前記特定遊技状態よりも短い短期特定遊技状態とする第２結果と、前記特定遊技状態および前記短期特定遊技状態のいずれにもしない第３結果と、を含む複数種類の結果のうちいずれの結果とするかを決定し、前記第２結果に決定する場合に、前記短期特定遊技状態終了後に前記特定遊技状態の発生確率が通常状態よりも高い高確率状態となる高確率結果とすることを更に決定する決定手段と、
前記決定手段により前記第１結果に決定されたときに、前記特定遊技状態において実行中のラウンド数を表示し、前記決定手段により前記第２結果かつ前記高確率結果に決定されたときに、前記短期特定遊技状態において実行中のラウンド数を表示せずに前記短期特定遊技状態に特有の演出画像を表示する表示制御を行う表示制御手段とを備える。
【手続補正５】
【補正対象書類名】明細書
【補正対象項目名】０００９
【補正方法】変更
【補正の内容】
【０００９】
このような構成によれば、前記決定手段により前記第１結果に決定されたときに、前記特定遊技状態において実行中のラウンド数が表示される一方、前記決定手段により前記第２結果かつ前記高確率結果に決定されたときに、前記短期特定遊技状態において実行中のラウンド数が表示されずに前記短期特定遊技状態に特有の演出画像が表示される。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
遊技機の下部に設けた球受け皿の左方に球発射装置を配置し、この球発射装置から遊技球を上方に打ち上げる球発射装置の取付構造において、
前記球発射装置は、取付ベース部に、遊技球を発射位置に保持する発射着座部と、前記発射位置に保持された遊技球を打撃する打球部材と、該打球部材を回動駆動する駆動源と、前記打球部材の回動範囲を規制するストッパ部とが一体的に設けられていると共に、前記打球部材の回動軸が前記発射位置よりも左方に配置され、
前記球発射装置の前面側を覆う前面部材が前記球受け皿とは別体で開閉可能に設けられ、該前面部材を開放したときに前記球発射装置を遊技機に対して前方から脱着できるよう該球発射装置が取り付けられていると共に、前記前面部材の裏面には、前記球発射装置へ遊技球を１球ずつ送り出すための整流器が設けられていることを特徴とする球発射装置の取付構造。
【手続補正２】
【補正対象書類名】明細書
【補正対象項目名】０００９
【補正方法】変更
【補正の内容】
【０００９】
上記目的を達成するために、請求項１に係る発明は、遊技機の下部に設けた球受け皿の左方に球発射装置を配置し、この球発射装置から遊技球を上方に打ち上げる球発射装置の取付構造において、球発射装置は、取付ベース部に、遊技球を発射位置に保持する発射着座部と、発射位置に保持された遊技球を打撃する打球部材と、該打球部材を回動駆動する駆動源と、打球部材の回動範囲を規制するストッパ部とが一体的に設けられていると共に、打球部材の回動軸が発射位置よりも左方に配置され、球発射装置の前面側を覆う前面部材が球受け皿とは別体で開閉可能に設けられ、該前面部材を開放したときに球発射装置を遊技機に対して前方から脱着できるよう該球発射装置が取り付けられていると共に、前記前面部材の裏面には、前記球発射装置へ遊技球を１球ずつ送り出すための整流器が設けられている構成としたものである。
【手続補正３】
【補正対象書類名】明細書
【補正対象項目名】００３２
【補正方法】変更
【補正の内容】
【００３２】
以上のように構成した球発射装置１４は、１つの取付基板２２に、発射着座部２３と打球槌２８とロータリソレノイド３１とストッパゴム３４等の主要部品が組み付けられて一体化されているため、各部品間の配置誤差（寸法誤差）を小さくすることができて、発射性能を安定化させることができると共に、球発射装置１４の保管が容易である。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
インバータ駆動されて得られる回転出力が洗濯に関する各工程の駆動力として用いられるモータを備えている洗濯機において、前記モータに当該モータのための駆動回路を内蔵したことから成る洗濯機。
【請求項２】
前記モータは直流ブラシレスモータであり、前記モータの前記洗濯機への取付け構造は、前記駆動回路非内蔵型の単相誘導モータ等の他型式のモータの取付けに用いられる汎用性のある取付け構造とであることから成る請求項１に記載の洗濯機。
【請求項３】
前記洗濯機は、少なくとも、脱水槽を兼ねた洗濯槽が内部に回転可能に配置される水槽と前記洗濯槽内で回転可能に配置されたパルセータとを備えており、前記モータは、前記水槽の下部に配置されて、前記洗濯に関する各工程の前記駆動力として、前記洗濯槽と前記パルセータとの回転駆動力を出力することから成る請求項１または２に記載の洗濯機。